(57)【要約】【課題】あらゆる大きさのコンクリート躯体に施工が容易であることから作業性を改善することができ、低コストで施工できるクラック誘発防水構造およびクラック誘発防水部材を提供する。【解決手段】クラック誘発防水部材が、横断面形状略Ｔ字形の長尺部材であり、該長尺部材の平坦部位をなす平坦面にスリットが設けられており、該スリットの表面が紙で覆われており、該クラック誘発防水部材の一端面には、１または２以上の連結用柱状部が突設されており、その反対側の面には、凹部が設けられており、該クラック誘発防水部材の少なくとも該平坦面のスリット以外の面の全てがコンクリートとの密着性に優れる粘着性材料の被覆層で覆われている部材であり、コンクリート打設後に、前記クラック誘発防水部材によってコンクリート躯体内に生じたクラックに交錯するように補修剤を注入するための穿孔が設けられてなる。【選択図】図４
0003140216.tif 000002
【実用新案登録請求の範囲】
【請求項１】
鉄筋とクラック誘発防水部材とを含むコンクリート構造物のクラック誘発防水構造であって、
該クラック誘発防水部材が、横断面形状略Ｔ字形の長尺部材であり、
該長尺部材の平坦部位をなす平坦面に１または２以上のスリットが設けられており、
該スリットの表面が未硬化のコンクリートは透過しない紙で覆われており、
該クラック誘発防水部材の上端面または下端面には、１または２以上の連結用柱状部が突設されており、
該柱状部が突設される面と反対側の面には、該柱状部を嵌合するための凹部が設けられており、
該クラック誘発防水部材の少なくとも該平坦面のスリット以外の面の全てがコンクリートとの密着性に優れる粘着性材料の被覆層で覆われている部材であり、
該クラック誘発防水部材の凸状部位がコンクリート躯体の外面方向を向くように、該クラック誘発防水部材の平坦面側がコンクリート躯体内部の鉄筋の外面側に配設されており、
コンクリート打設後に、前記クラック誘発防水部材によってコンクリート躯体内に生じたクラックに交錯するように補修剤を注入するための穿孔が設けられてなるクラック誘発防水構造。
【請求項２】
前記クラック誘発防水部材のスリットと一直線上に、内部クラック誘発部材がコンクリート躯体内部の鉄筋の内面側に配設されてなる請求項１記載のクラック誘発防水構造。
【請求項３】
コンクリートの硬化に伴いコンクリート躯体外面の所定の箇所との間には外部クラックおよび鉄筋で囲われた内部には内部クラックを生ぜしめ、かつ防水効果を高めるためにコンクリート躯体内部の鉄筋の外面側に配設されるクラック誘発防水部材であって、
横断面形状略Ｔ字形の長尺部材であり、
該長尺部材の平坦部位をなす平坦面に１または２以上のスリットが設けられており、
該スリットの表面が未硬化のコンクリートは透過しない紙で覆われており、
該クラック誘発防水部材の上端面または下端面には、１または２以上の連結用柱状部が突設されており、
該柱状部が突設される面と反対側の面には、該柱状部を嵌合するための凹部が設けられており、
該クラック誘発防水部材の少なくとも該平坦面のスリット以外の面の全てがコンクリートとの密着性に優れる粘着性材料の被覆層で覆われているクラック誘発防水部材。
【考案の詳細な説明】
【技術分野】
【０００１】
本考案は、打設後のコンクリート躯体に予め想定した箇所にのみクラックを適切に生ぜしめて他の箇所でのクラックの発生を防ぐことにより、クラックへの水の浸入を効果的に防止するコンクリート躯体のクラック誘発防水構造、およびあらゆる大きさのコンクリート躯体にも適用可能なクラック誘発防水部材に関する。
【背景技術】
【０００２】
鉄筋コンクリート構造物の躯体表面では、打設したコンクリートの硬化収縮によりクラックが発生するが、このクラックは硬化条件などにより、無秩序に多数箇所に発生する。クラックがコンクリート外面に現れた場合、美観を損なうだけでなく、クラック内に水分が浸入することにより内部鉄筋の腐食・劣化を招き、躯体強度が低下することが知られている。そのため、コンクリート躯体の所定箇所にクラック誘発目地や誘発構造を形成して断面形状を他の箇所と異ならせ、その箇所に応力を集中させることにより、クラックを特定箇所に積極的に集中発生させ、他の箇所に無秩序に多数発生することを防止する手法が従来から採られてきた。こういった手法を用いることにより、クラックへの防水工事の容易化が図られている。
【０００３】
従来技術の一例として特許文献１には、図６に示されるように、クラック誘発部材１００が、横断面形状が三角形の山形に突出する突出部分１０１ａ並びにこの突出部分１０１ａの両側で延在する平板形状のフランジ部分１０１ｂからなる芯材１０１と、高分子材料製の粘着層１０２とを備える構成であること、およびコンクリート製の構造体２００表面に設けられる溝２１０と構造用鉄筋２２０との間に、突出部分１０１ａを溝２１０に対向させつつ配設されるクラック誘発構造が開示されている。
【０００４】
上記のクラック誘発構造では、まず、構造用鉄筋２２０に対し、突出部分１０１ａが構造体外方に向くように配置しつつクラック誘発部材１００を固定する。必要に応じて、構造用鉄筋２２０の内側に内側クラック誘発部材１１０を配設する。この後、構造用鉄筋２２０およびクラック誘発部材１００を取囲む型枠内にコンクリートが打設され、このコンクリートの硬化により、クラック誘発部材１００が構造体２００内部に埋設された状態が得られる。一方、型枠の一部で内方に突出していた部材により、構造体２００の表側には溝２１０が形成される。
【０００５】
コンクリートが硬化収縮すると、溝２１０とクラック誘発部材１００の突出部分１０１ａとの間にクラックが発生する。このクラックから外気および水が浸入しても、クラック誘発部材１００の粘着層１０２がコンクリートに対し密着しており、外気および水が粘着層１０２とコンクリートとの界面で阻止され、構造用鉄筋２２０が外気および水にさらされない。
【０００６】
【特許文献１】特許第２８６８９９４号公報
【考案の開示】
【考案が解決しようとする課題】
【０００７】
しかし、上記従来のクラック誘発構造のクラック誘発部材１００のみでは、コンクリート躯体の幅が広いと、対面するクラック誘発防水部材の内側の予め想定した箇所に適切に生じさせることができず、不規則にクラックが発生することにより、構造体内側部分の防水が適切に行えなくなる。したがって、内側クラック誘発部材をさらに配設する必要がある。
【０００８】
また、コンクリート躯体は、構造物の大きさによって高さが４〜２０ｍの範囲で大きく変化するものであるが、上記従来のクラック誘発部材１００では、躯体の高さに応じて製造するか、または現場で必要な長さに切断する必要があり、クラック誘発防水部材１の長さによっては、保管スペースの問題が生じ、輸送に支障をきたし、コンクリート配設作業において扱いづらいなど、製造面、保管面、輸送面および作業面において問題があった。
【０００９】
さらに、特許文献１に記載された工法の場合、構造体２００表面側の防水はクラック誘発部材１００の表面粘着層で可能であるが、鉄筋で囲われた内部に生じた内部クラックはそのまま空隙として残され、また、水の通り道となる鉄筋の下側部分の空隙への有効な対処がなされておらず、コンクリート構造物全体の防水の面でさらなる改良が必要である。
【００１０】
本考案はこれらの課題を解消するものであり、外部および内部クラックを適切に発生させ、かつ適切に防水することができ、水の鉄筋への到達を内外両方向から防いでコンクリート構造物の強度低下を確実に防止できると共に、あらゆる大きさのコンクリート躯体にも施工が容易であることから作業性を改善することができ、低コストで施工できるクラック誘発防水構造およびクラック誘発防水部材を提供することを目的とする。
【課題を解決するための手段】
【００１１】
本考案のクラック誘発防水構造は、鉄筋とクラック誘発防水部材とを含むコンクリート構造物のクラック誘発防水構造であって、該クラック誘発防水部材が、横断面形状略Ｔ字形の長尺部材であり、該長尺部材の平坦部位をなす平坦面に１または２以上のスリットが設けられており、該スリットの表面が未硬化のコンクリートは透過しない紙で覆われており、該クラック誘発防水部材の上端面または下端面には、１または２以上の連結用柱状部が突設されており、該柱状部が突設される面と反対側の面には、該柱状部を嵌合するための凹部が設けられており、該クラック誘発防水部材の少なくとも該平坦面のスリット以外の面の全てがコンクリートとの密着性に優れる粘着性材料の被覆層で覆われている部材であり、該クラック誘発防水部材の凸状部位がコンクリート躯体の外面方向を向くように、該クラック誘発防水部材の平坦面側がコンクリート躯体内部の鉄筋の外面側に配設されており、コンクリート打設後に、前記クラック誘発防水部材によってコンクリート躯体内に生じたクラックに交錯するように補修剤を注入するための穿孔が設けられてなることを特徴とする。
【００１２】
また、前記クラック誘発防水部材のスリットと一直線上に、内部クラック誘発部材がコンクリート躯体内部の鉄筋の内面側に配設されてなることが好ましい。
【００１３】
本考案のクラック誘発防水部材は、コンクリートの硬化に伴いコンクリート躯体外面の所定の箇所との間には外部クラックおよび鉄筋で囲われた内部には内部クラックを生ぜしめ、かつ防水効果を高めるためにコンクリート躯体内部の鉄筋の外面側に配設されるクラック誘発防水部材であって、横断面形状略Ｔ字形の長尺部材であり、該長尺部材の平坦部位をなす平坦面に１または２以上のスリットが設けられており、該スリットの表面が未硬化のコンクリートは透過しない紙で覆われており、該クラック誘発防水部材の上端面または下端面には、１または２以上の連結用柱状部が突設されており、該柱状部が突設される面と反対側の面には、該柱状部を嵌合するための凹部が設けられており、該クラック誘発防水部材の少なくとも該平坦面のスリット以外の面の全てがコンクリートとの密着性に優れる粘着性材料の被覆層で覆われていることを特徴とする。
【考案の効果】
【００１４】
本考案の構造および部材を採用することにより、コンクリート躯体外壁とクラック誘発防水部材との間の予め想定した箇所に外部クラックを発生させ、外部クラックからの水の内部への浸入を、クラック誘発防水部材の外壁方向の表面に設けられた粘着性材料の被覆層により阻止することによって水が鉄筋にまで到達しないようにすることができる。また、本考案のクラック誘発防水部材は、連結は容易であるが強く嵌合することができるため、あらゆる大きさのコンクリート躯体にも施工が容易である。また、クラック誘発防水部材のスリットおよび内側クラック誘発部材により、クラック誘発防水部材からコンクリート躯体内部方向へ発生する内部クラックを予め想定した箇所に確実に発生させることができる。さらに、前記内部クラックを予め想定した箇所に確実に発生させることにより、コンクリート打設後に内部クラックに連通する穿孔を設け、該穿孔から確実に内部クラックに補修材を充填することができる。その結果、コンクリート躯体内部のクラックおよび鉄筋近傍の防水および補修を確実に達成し、コンクリート構造物全体の強度を長期間維持することができる。
【考案を実施するための最良の形態】
【００１５】
以下、添付図面を参照して、本考案を詳細に説明する。
【００１６】
図１は、本考案のクラック誘発防水部材を示す上面説明図であり、図２は、本考案のクラック誘発防水部材の連結状態を示す概略斜視図であり、図３は、鉄筋に固定されたクラック誘発防水部材および内側クラック誘発部材の固定状態を示す上面説明図であり、図４は、本考案の実施例１を示す概略横断面図であり、図５は、本考案の実施例２を示す概略横断面図であり、図６は、特許文献１に記載された従来のクラック誘発部材の施工状態を示す概略横断面図である。
【００１７】
（クラック誘発防水部材）
図１および２にしたがって、クラック誘発防水部材１について説明する。なお、図１において紙面上方がコンクリート躯体４０の外壁方向であり、紙面下方が鉄筋３０方向である。
【００１８】
本考案のクラック誘発防水部材１は、凸状部位２と平坦部位３を有する横断面形状がほぼＴ字の長尺部材であり、一のクラック誘発防水部材１の上端面または下端面の略中心部にクラック誘発防水部材１を連結するために連結用柱状部８が突設されている。前記連結用柱状部８が突設される面と反対側の面の略中心部には、他のクラック誘発防水部材１を連結するための凹部５が設けられている。クラック誘発防水部材１の平坦面に設けられたスリット４以外の面の全部は、密着性に優れる粘着性材料６で覆われている。
【００１９】
クラック誘発防水部材１は、Ｔ字形の凸状部位２とＴ字形の平坦部位３とからなる。凸状部位２は、コンクリート躯体４０外壁の誘発目地５０との間にクラックを発生させる役割を果たす。平坦部位３は、クラック誘発部材１を鉄筋３０に固定するための固定部位となる。長尺部材はアルミニウムなどの金属またはポリ塩化ビニルなどの合成樹脂で作製されていることが、軽量化や製造の容易さから好ましい。
【００２０】
クラック誘発防水部材１の平坦面には、１または２以上のスリット４が設けられている。これにより、コンクリート打設後、スリット４を起点としてコンクリート躯体４０内の特定箇所に内部クラック４２を確実に発生させることができる。また、スリット４がクラック誘発防水部材１の上端面または下端面の両方が開放されているときは、クラック誘発防水部材１を押出加工でき、製造しやすくコストダウンを実現できる。
【００２１】
スリット４は、未硬化のコンクリートは透過しないテープ状の紙７で覆われている。これにより、未硬化のコンクリートのスリット４への浸入を防ぐことができ、スリット４はコンクリートで充填されることなくクラックを確実に発生させることができる。紙７に代えてメッシュ状シートなどの使用も考えられるが、コスト面や現場施工の作業性の点から紙７を用いることが好ましい。
【００２２】
クラック誘発防水部材１の上端面または下端面には、クラック誘発防水部材１を連結するための連結用柱状部８が突設されている。また、前記連結用柱状部８が突設される面と反対側の面の略中心部には、他のクラック誘発防水部材１に突設された連結用柱状部８に嵌合するための凹部５が設けられている。一のクラック誘発防水部材１の連結用柱状部８と他のクラック誘発防水部材１の凹部５とを嵌合して連結することにより、クラック誘発防水部材１の長さをコンクリート躯体４０の大きさに合わせて調節することができる。これにより、クラック誘発防水部材１の寸法を短くでき、保管スペースを少なくすることができ、製造、輸送および配設作業が容易になる。
【００２３】
連結用柱状部８の形状は特に限定されないが、コンクリート打設時のコンクリートの流圧によって折れたり曲がったりしないよう一定の強度を有することが必要である。また、製造が容易であり、クラック誘発防水部材１への嵌合が容易であることから中空または密実な円柱形状であることが好ましい。前記連結用柱状部８は、強度が高く、製造が容易であることからアルミニウムなどの金属またはポリ塩化ビニルなどの合成樹脂で作製されていることが好ましい。
【００２４】
連結用柱状部８は、クラック誘発防水部材１に設けられた凹部５に予め嵌合されている。コンクリート打設時のコンクリートの流圧に耐えるため、連結用柱状部８と凹部５とは接着剤によって強固に嵌合される。
【００２５】
クラック誘発防水部材１の平坦面に設けられたスリット４以外の面の全部に、密着性に優れる粘着性材料６が覆われている。粘着性材料６は、外部クラック４１から進入する水がコンクリート躯体４０の鉄筋３０に到達することを防ぐものであり、コンクリートとの密着性に優れる材料であることが好ましく、粘着性を有する材料であれば特に限定されないが、コンクリートとの接着性に優れるブチルゴムを用いることが特に好ましい。クラック誘発防水部材１の平坦面にコンクリートと密着性のよい粘着材料６の被覆層が設けられていないと、その部分でコンクリートとの密着性が損なわれ、コンクリートの硬化に伴いクラック誘発防水部材１との間に空隙が生じ、水の通り道になってしまう。そこで、少なくとも前記スリット４が設けられている平坦面のスリット４以外の面の全てが、粘着性材料６で覆われていることが好ましい。
【００２６】
クラック誘発防水部材１の鉄筋３０への固定は、図３に示されるように、着脱が容易でスリット４が塞がれない金属製の固定部材３１による固定が好ましい。固定部材３１は、結束線などで鉄筋３０に結び付けるが、特にこれに限定されるものではない。
【００２７】
コンクリート躯体４０の幅が広いと、クラック誘発防水部材１だけでは、コンクリート躯体４０内の予め想定した箇所にクラックを確実に発生させることができない。かかる場合、内部クラック誘発部材２０が、鉄筋３０の内側（コンクリート躯体内側）位置に固定されるが、内部クラック４２を前記クラック誘発防水部材１のスリット４を起点とする一直線上に確実に発生させるため、クラック誘発防水部材１のスリット４と一直線上に、コンクリート躯体４０内部の鉄筋３０の内側に配設することが好ましい。これにより、クラック誘発防水部材１だけでは有効な内部クラック４２を発生させづらいような幅の広いコンクリート躯体４０の場合でも、クラック誘発防水部材１を起点として内部クラック４２を確実に発生させることができ、コンクリート打設後の穿孔２２から補修剤を充填することにより内部クラック４２を効果的に封止・防水できる。
【００２８】
（内部クラック誘発部材）
内部クラック誘発部材２０は、板状の部材であることがクラックの発生方向を指向させることが容易であるので好ましい。また、内部クラック誘発部材２０は、製造が容易で、軽量かつ一定の強度を有するポリ塩化ビニル製の板が好ましい。大きさはコンクリート躯体のサイズに応じて決定されるが、通常、クラック誘発防水部材１と内部クラック誘発部材２０の合計部材高さがコンクリート躯体４０の全幅の３０％以上であれば優先的に内部クラック４２を発生させることができる。
【００２９】
内部クラック誘発部材２０の鉄筋３０への固定は、図３に示されるように、位置決めができれば充分であるのでワイヤなどで結び付けてもよいが、加工および着脱が容易で、クラック誘発防水部材１のスリット４が塞がれない専用のクランプ２１による固定が好ましい。
【００３０】
（クラックの補修）
上記のクラック誘発防水構造により発生した外部クラック４１は、コンクリート外壁表面から、適切なシール材を化粧目地部(目地棒)５０に充填し封止することにより、より一層確実に防水効果を高めることができる。また、同様に発生した内部クラック４２は、そのままでは補修材を注入することができないため、コンクリート打設後、型枠を取り除いた後で、ドリルにより穿孔２２を設けて、該穿孔２２から補修剤を圧入する。穿孔手段は、内部クラック４２を貫通できるものであればよく特に限定されないが、ドリルを用いることが好ましい。内側クラック４２は、前記クラック誘発防水部材１や内側クラック誘発部材２０により、予め想定された箇所にクラックが発生しているため、確実にクラックに通ずる穿孔２２を設けることができる。
【００３１】
補修剤は、流動性がよく補修効果に優れたものであれば、無機系の補修剤でも有機系の補修剤でもよく、特に限定されないが、浸透性の高いコロイダルシリカ水性分散液を用いることが好ましい。前記コロイダルシリカ水性分散液は、シリカが超微粒子であるため、コンクリート躯体４０内に発生した内部クラック４２中に浸透していき、クラック周囲のコンクリート中のアルカリ物質や水和物と反応してゲル化し、このシリカゲルでクラック内部を充填し、補修することができる。そのほか、ウレタン系補修剤やセメントミルクなども使用可能である。ただ、鉄筋を腐食しやすい酸や塩素などを含まない、または発生しないものであることが必要である。なお、内部クラック用の補修剤と外部クラック用の目地剤とは同じでも異なっていてもよい。
【００３２】
つぎに本考案の実施例を図面に従って説明するが、本考案はかかる実施例に限定されるものではなく、当業者に自明の改良改変も含むものである。
【００３３】
実施例１
本考案のクラック誘発防水部材１は、コンクリート打設前に、凸状部位２をコンクリート躯体４０の外壁面向きになるように固定部材３１により、鉄筋３０に配設固定する。固定部材３１は、結束線３２により鉄筋３０に固定される。これにより、クラック誘発防水部材１はコンクリート打設時のコンクリート流圧によって位置がずれない。鉄筋３０はコンクリート躯体４０の両側に組まれるのが通常であるので、それぞれの側の鉄筋３０にクラック誘発防水部材１が、スリット４が対面するように配置される。これにより、二個のクラック誘発防水部材１のスリット４間の一直線上に内部クラック４２を確実に発生することができる。クラック誘発防水部材１は、コンクリート躯体４０の大きさに応じて、複数のクラック誘発防水部材１が連結される。連結は、一のクラック誘発防水部材１の上端面に突設した連結用柱状部８を、他のクラック誘発防水部材１の下端面に設けられた凹部５に嵌合する。連結用柱状部８は、コンクリート打設時のコンクリート流圧によって、折れたり曲がったりしないように、塩化ビニル製で中空または密実な円柱形状のものが用いられ、クラック誘発防水部材１に接着剤によって強固に固定される。
【００３４】
ついで型枠（図示せず）を所定の位置に配置し、型枠内にコンクリートを打設する。型枠にはクラック誘発防水部材１の凸状部位２に対面する位置に化粧目地(目地棒)５０が形成されているため、コンクリートが硬化した後、凸状部位２と外壁面との間の所定の位置に外部クラック４１を発生させやすくすることができる。
【００３５】
コンクリートを打設し硬化させた後、型枠を取り外すと、コンクリートの硬化に伴う収縮応力によりコンクリート幅の薄い部分、すなわち図４に示される外部クラック４１がクラック誘発防水部材１の凸状部位２と化粧目地(目地棒)５０の間に発生し、また両クラック誘発防水部材１のスリット４間に内部クラック４２が発生する。このようにクラックを予め想定した場所に発生させることにより、無秩序に多数のクラックが発生することを防ぐことができる。
【００３６】
図４に示されるように、外部クラック４１は放置していてもクラック誘発防水部材１の粘着性材料６により鉄筋３０への水の浸入は阻止されるが、外部から適切な補修剤を注入して封止することにより、より一層確実に防水効果を高めることができる。
【００３７】
一方、コンクリート躯体４０内部に発生した内部クラック４２については、そのままでは補修材を注入することができない。そこで、図４に示されるように、コンクリート打設後、型枠を取り除いた後で、ドリルにより穿孔２２を設けて、該穿孔２２から補修剤を圧入する。穿孔手段は、本実施例ではドリルを用いたが、内部クラック４２を貫通できるものであればよく、特に限定されない。内側クラック４２は、前記クラック誘発防水部材１や内側クラック誘発部材２０により、予め想定した箇所にクラックが発生しているため、ドリルにより確実にクラックに通ずる穿孔２２を設けることができる。
【００３８】
補修剤として浸透性の高いコロイダルシリカ水性分散液を、穿孔２２から内部クラック４２内に圧入する。前記コロイダルシリカ水性分散液は、シリカが超微粒子であるため、コンクリート躯体４０内に発生した内部クラック４２中に浸透していき、クラック周囲のコンクリート中のアルカリ物質や水和物と反応してゲル化し、このシリカゲルでクラック内部を充填し、補修することができる。その結果、内部クラック４２だけでなく、さらには横方向の鉄筋３０の下側部分の空隙にも補修剤が充填され、より一層確実な防水機能が達成される。
【００３９】
実施例２
図５に示されるように、実施例２では、実施例１同様、コンクリート打設前に、二個のクラック誘発防水部材１が、スリット４同士が対面するように鉄筋３０に配設固定される。しかし、コンクリート躯体４０の幅が、前述の実施例１のものより幅が広い場合、クラック誘発防水部材１だけでは、予め想定した箇所に内部クラック４２を確実に発生させることができない可能性がある。そこで、内部クラック４２を想定した箇所により確実に発生させるために、内部クラック誘発部材２０を鉄筋３０の内側に配設する。
【００４０】
内部クラック誘発部材２０は、クラック誘発防水部材１のスリット４の一直線上に内部クラックを確実に発生させるため、クラック誘発防水部材１のスリット４の一直線上であって、鉄筋３０の内側（コンクリート躯体内側）位置に固定される。内部クラック誘発部材２０は、加工および着脱が容易でクラック誘発防水部材１のスリット４が塞がれない専用のクランプ２１によって鉄筋３０に固定されている。かかる内部クラック誘発部材２０を配設することにより、クラック誘発防水部材１だけでは有効な内部クラック４２を発生させづらいような幅の広いコンクリート躯体４０の場合でも、クラック誘発防水部材１を起点とする内部クラック４２を確実に発生させることができる。
【００４１】
実施例１同様、コンクリート躯体４０に発生した外部クラック４１は、外部から適切なシール材を化粧目地(目地棒)５０に充填し封止することにより、また、内部クラック４２は、コンクリート打設後、型枠を取り除いた後で、ドリルにより穿孔２２を設け、該穿孔２２から、補修剤として浸透性の高いコロイダルシリカ水性分散液を内部クラック４２内に圧入することにより、内部クラック４２だけでなく、さらには横方向の鉄筋３０の下側部分の空隙にも補修剤が充填され、より一層確実な防水機能が達成される。
【００４２】
このように本考案によれば、コンクリート躯体４０外面（外壁）とクラック誘発防水部材１との間の予め想定した箇所に外部クラック４１を発生させ、該外部クラック４１からの水の内部への浸入を、クラック誘発防水部材１の外壁方向の表面に設けられた粘着性材料６の被覆層により阻止することによって水が鉄筋３０にまで到達しないようにすることができる。本考案のクラック誘発部材１は、連結が容易であるため、あらゆる大きさのコンクリート躯体４０にも施工が容易である。また、クラック誘発防水部材１からコンクリート躯体４０内部方向へ発生する内部クラック４２を予め想定した箇所に確実に発生させることができる。さらに、前記内部クラック４２を予め想定した箇所に確実に発生させることにより、コンクリート打設後に内部クラック４２に連通する穿孔２２を設け、該穿孔２２から、確実に内部クラック４２に補修材を充填することができる。その結果、コンクリート躯体４０内部のクラックおよび鉄筋３０近傍の防水および補修を確実に達成し、コンクリート構造物全体の強度を長期間維持することができる。
【図面の簡単な説明】
【００４３】
【図１】本考案のクラック誘発防水部材を示す上面説明図である。
【図２】本考案のクラック誘発防水部材の連結状態を示す概略斜視図である。
【図３】鉄筋に固定されたクラック誘発防水部材および内側クラック誘発部材の固定状態を示す上面説明図である。
【図４】本考案の実施例１を示す概略横断面図である。
【図５】本考案の実施例２を示す概略横断面図である。
【図６】特許文献１に記載された従来のクラック誘発部材の施工状態を示す概略横断面図である。
【符号の説明】
【００４４】
１    クラック誘発防水部材
２    凸状部位
３    平坦部位
４    スリット
５    凹部
６    粘着性材料
７    紙
８    連結用柱状部
２０    内部クラック誘発部材
２１    クランプ
２２    穿孔
３０    鉄筋
３１    取付け用部材
３２    固定部材
４０    コンクリート躯体
４１    外部クラック
４２    内部クラック
５０    化粧目地(目地棒)
１００    クラック誘発部材
１０１    芯材
１０１ａ  突出部分
１００ｂ  フランジ部分
１０２    粘着層
１１０    内側クラック誘発部材
２００    構造体
２１０    溝
２２０    構造用鉄筋
【図１】
0003140216.tif 000003
【図２】
0003140216.tif 000004
【図３】
0003140216.tif 000005
【図４】
0003140216.tif 000006
【図５】
0003140216.tif 000007
【図６】
0003140216.tif 000008